(57)【要約】【課題】経験の少ない施術者であっても、被診断者一人一人について、症状の原因を正確に診断可能な診断支援システムを提供する。【解決手段】骨盤が前傾又は後傾を判別する骨盤傾き判断手段１１と、骨盤傾き判断手段による判断の後に、他の関節の伸展、屈曲又は底屈を判別し姿勢を分類する姿勢分類手段１１と、を備え、姿勢分類手段１１によって分類された姿勢の種類から短縮筋及び弱化筋を診断する。そして、骨盤傾き判断手段１１の前段階として、被診断者を側方から観察するとともに被診断者の姿勢をモデルケースと比較して被診断者の姿勢が正常姿勢か否かを仮診断する仮診断手段１１と、仮診断手段１１における診断結果と姿勢分析手段１１における結果とを比較して、両者が一致することを確認する確認手段１１と、をさらに備える。【選択図】図２
2019037598.tif 000002
【特許請求の範囲】
【請求項１】
骨盤が前傾又は後傾を判別する骨盤傾き判断手段と、
前記骨盤傾き判断手段による判断の後に、他の関節の伸展、屈曲又は底屈を判別し姿勢を分類する姿勢分類手段と、を備え、
前記姿勢分類手段によって分類された姿勢の種類から短縮筋及び弱化筋を診断することを特徴とする診断支援システム。
【請求項２】
前記骨盤傾き判断手段の前段階として、被診断者を側方から観察するとともに前記被診断者の姿勢をモデルケースと比較して前記被診断者の姿勢が正常姿勢か否かを仮診断する仮診断手段と、
前記仮診断手段における診断結果と前記姿勢分析手段における結果とを比較して、両者が一致することを確認する確認手段と、をさらに備えることを特徴とする請求項１に記載の診断支援システム。
【請求項３】
被診断者の耳垂、肩峰、大転子、膝蓋骨後面、及び外果の前方をそれぞれ測定点として、被診断者を側方から測定したときに前記五つの測定点のうち被診断者の重心線を通った測定点を各一点として点数化する重心線通過点数化手段をさらに備え、
前記点数化された点数に基いて、前記姿勢分析手段により分類された姿勢の種類に軽重を付けることを特徴とする請求項１又は２に記載の診断支援システム。
【発明の詳細な説明】
【技術分野】
【０００１】
本発明は、整体において施術するために体調不良の原因を診断する診断支援システムに関するものである。
【背景技術】
【０００２】
腰痛や肩凝り等の体の不調は、骨盤や脊椎等の関節や骨格の歪みを矯正したり、慢性的に緊張が続いている筋肉を緩めることで症状が改善する場合が多い。
このような施術は整体や指圧等として、広く世の中に知られている（例えば、特許文献１参照）。
【０００３】
また、筋肉が弱っていることが原因で体調不良が出ている場合には、その部分の筋力を鍛えることで症状が改善する。
【先行技術文献】
【特許文献】
【０００４】
【特許文献１】特開２００５−１３７８１０号公報
【発明の概要】
【発明が解決しようとする課題】
【０００５】
しかしながら、例えば、一言で腰痛と言ってもその原因は一つではない。
腰の背骨部分が原因で起こる場合、骨盤が原因で仙腸関節に負担が掛かり痛みが出ている場合、筋肉が原因となっている場合等がある。
【０００６】
腰痛に限らず、肩が痛いときの原因が肩に無かったり、頭痛の原因が頭ではないことは珍しくなく、整体師等の施術者の経験や腕によって被診断者の体調不良が解消されるか否かが決まってしまい、好ましくない。
【０００７】
体調不良の本当の原因を知り、それに基づいた適切な施術が行われないと、なかなか改善されないとか、良くなってもまた再発する、といったことが起こる。
【０００８】
特に、ベテランに比べて経験の少ない整体師等の施術者はその判断を誤ってしまうことがあり、患者に時間的、金銭的負担が掛かってしまう。また何より、体調不良の期間が長くなってしまう。
【０００９】
そこで、本発明の目的とするところは、経験の少ない施術者であっても、被診断者一人一人について、症状の原因を正確に診断可能な診断支援システムを提供することにある。
【課題を解決するための手段】
【００１０】
上記の目的を達成するために、本発明の請求項１に記載の診断支援システム（１０）は、
骨盤が前傾又は後傾を判別する骨盤傾き判断手段（１１）と、
前記骨盤傾き判断手段による判断の後に、他の関節の伸展、屈曲又は底屈を判別し姿勢を分類する姿勢分類手段（１１）と、を備え、
前記姿勢分類手段（１１）によって分類された姿勢の種類から短縮筋及び弱化筋を診断することを特徴とする。
【００１１】
また、請求項２に記載の診断支援システム（１０）は、
前記骨盤傾き判断手段（１１）の前段階として、被診断者を側方から観察するとともに前記被診断者の姿勢をモデルケースと比較して前記被診断者の姿勢が正常姿勢か否かを仮診断する仮診断手段（１１）と、
前記仮診断手段（１１）における診断結果と前記姿勢分析手段（１１）における結果とを比較して、両者が一致することを確認する確認手段（１１）と、をさらに備えることを特徴とする。
【００１２】
また、請求項３に記載の診断支援システム（１０）は、
被診断者の耳垂、肩峰、大転子、膝蓋骨後面、及び外果の前方をそれぞれ測定点として、被診断者を側方から測定したときに前記五つの測定点のうち被診断者の重心線を通った測定点を各一点として点数化する重心線通過点数化手段（１１）をさらに備え、
前記点数化された点数に基いて、前記姿勢分析手段（１１）により分類された姿勢の種類に軽重を付けることを特徴とする。
【００１３】
ここで、上記括弧内の記号は、図面および後述する発明を実施するための形態に掲載された対応要素または対応事項を示す。
【発明の効果】
【００１４】
本発明の請求項１に記載の診断支援システムによれば、骨盤が前傾又は後傾を判別する骨盤傾き判断手段と、骨盤傾き判断手段による判断の後に、他の関節の伸展、屈曲又は底屈を判別し姿勢を分類する姿勢分類手段と、を備え、姿勢分類手段によって分類された姿勢の種類から短縮筋及び弱化筋を診断するので、経験の少ない施術者であっても、被診断者一人一人について、ほぐすべき短縮筋や筋力を増強させるべき弱化筋を判断することができる。
これにより、被診断者の骨格の歪みや重心のズレ、及び筋バランスを改善可能で、被診断者の体調の改善に繋がる。
【００１５】
また、請求項２に記載の診断支援システムによれば、請求項１に記載の発明の作用効果に加え、被診断者の姿勢が正常姿勢か否かを仮診断する仮診断手段と、仮診断手段における診断結果と姿勢分析手段における結果とを比較して、両者が一致することを確認する確認手段と、をさらに備えるので、得られる結果の信頼性が高い。
【００１６】
また、請求項３に記載の診断支援システムによれば、請求項１又は２に記載の発明の作用効果に加え、被診断者の耳垂、肩峰、大転子、膝蓋骨後面、及び外果の前方をそれぞれ測定点として、被診断者を側方から測定したときに五つの測定点のうち被診断者の重心線を通った測定点を各一点として点数化する重心線通過点数化手段をさらに備え、点数化された点数に基いて、姿勢分析手段により分類された姿勢の種類に軽重を付けるので、さらに細かな診断を行うことができる。
すなわち、分類された姿勢の種類が同じであっても、症状の程度が重度の場合と軽度の場合では当然に対処の方法が異なるが、本請求項に係る発明では、症状の程度及び原因を細かく診断可能であるので、それに基づいて施術者が適切に施術することができる。
【００１７】
なお、本発明の診断支援システムのように、骨盤傾き手段と、姿勢を分類する姿勢分類手段を備える点は、上述した特許文献１には全く記載されていない。
【図面の簡単な説明】
【００１８】
【図１】本発明の実施形態に係る診断支援システムの電気的構成の概要を示すブロック図である。
【図２】本発明の実施形態に係る診断支援システムのフローチャートである。
【図３】本発明の実施形態に係る診断支援システムにおける重心線通過点数化を示す模式図である。
【発明を実施するための形態】
【００１９】
図１及び２を参照して、本発明の実施形態に係る診断支援システム１０を説明する。
この診断支援システム１０は、制御部１１と、記憶部１２と、表示部１３と、入力部１４と、を備えるものである。
【００２０】
この診断支援システム１０は、図１に示すように制御部１１と、記憶部１２と、表示用のディスプレイ等からなる出力部１３と、入力用のキーボードやカメラ等からなる入力部１４を備えている。
制御部１１は、記憶部１２に記憶された制御プログラムに従ってシステム全体を制御するものであり、ＣＰＵからなる。
記憶部１２は、ＲＯＭやＲＡＭといった記憶媒体からなる。記憶部１２には、システム全体を制御する制御プログラムや被診断者の情報等が記憶される。
なお、記憶部１２として、ＨＤＤ等の他の記憶媒体が、主に又は補助的に用いられてもよい。
【００２１】
この診断支援システム１０における制御部１１が行う制御について、図２を参照して説明する。
まず、図２に示すチャートの前段階として、被診断者を側方から撮影した画像を入力するとともに被診断者の姿勢を、記憶部１２に事前に記憶させているモデルケースと比較して、被診断者の姿勢が正常姿勢か否か、姿勢が正常では無い場合にはそれらをここでは四種類（後述するＳ型、Ａ型、Ｉ型、又はＣ型）に分類し、姿勢を仮診断する。
【００２２】
次に、骨盤が前傾又は後傾を判別する。
骨盤が前傾していると判別された場合、腰椎前弯増強、膝関節軽度伸展、足関節軽度底屈となっていることが多いので、そのようになっていることを確認する。
【００２３】
次に、頭部前方位、頚椎過伸展、内巻き肩、胸椎後弯、股関節屈曲となっている場合には、その被診断者の姿勢をＳ型と分類する。
つまりＳ型とは骨盤が前に傾き、反り腰で、背中が丸くなっているタイプである。
【００２４】
それが当てはまらない場合には、その被診断者の姿勢をＡ型と分類する。
Ａ型とは、骨盤が前に傾き、反り腰で背中が丸くなりつつあり、頭が前に出ているタイプである。
【００２５】
一方で、骨盤が後傾していると判断された場合には、頭部前方位、頚椎軽度伸展、腰椎平坦となっていることが多いので、そのようになっていることを確認する。
次に、胸椎上部屈曲、胸椎下部平坦、股関節伸展、膝関節軽度伸展、足関節軽度底屈となっている場合には、その被診断者の姿勢をＩ型と分類する。
つまりＩ型とは骨盤が後ろに傾き、腰骨は平らとなっているタイプである。
【００２６】
それが当てはまらず、上部体幹の後方変位を伴う長い胸椎後弯、股関節過伸展、膝関節過伸展、足関節中間位が認められれば、その被診断者の姿勢をＣ型と分類する。
Ｃ型とは、骨盤が後ろに傾き、背中が丸くなっているタイプである。
【００２７】
最後に、最初に仮診断した診断結果と、図２に示す詳細な姿勢分析による結果とを比較して、両者が一致することを確認する。
【００２８】
これら、四種類の姿勢に被診断者の姿勢が分類されれば、それぞれその被診断者の短縮筋及び弱化筋、関節可動性を診断することができる。
短縮筋とは、よく使った結果として硬く変性した状態となっている筋肉のことである。一方、弱化筋とは、上手く使えておらず筋力が低下した状態の筋肉のことである。
【００２９】
Ｓ型の場合、短縮筋としては頚椎伸筋群、腰脊柱起立筋、腸腰筋、大腿筋膜張筋、大腿直筋、前鋸筋、大・小胸筋、僧帽筋上部、肩甲挙筋が挙げられる。
またＳ型の場合の弱化筋としては、頚部屈筋群、上部脊柱起立筋、腹直筋、外腹斜筋、内腹斜筋、腹横筋、大殿筋、ハムストリングス、僧帽筋中・下部、菱形筋、前鋸筋が挙げられる。
【００３０】
Ａ型の場合、短縮筋としては、腰脊柱起立筋、腸腰筋、縫工筋、大腿直筋、大腿筋膜張筋が挙げられる。
またＡ型の場合の弱化筋としては、前腹部筋、ハムストリングスが挙げられる。
【００３１】
Ｉ型の場合、短縮筋としては、ハムストリングス、腹直筋群が挙げられる。
Ｉ型の場合の弱化筋としては、腸腰筋、縫工筋、大腿直筋、大腿筋膜張筋が挙げられる。
【００３２】
Ｃ型の場合、短縮筋としては、ハムストリングス、腹直筋群が挙げられる。
Ｃ型の場合の弱化筋としては、股関節屈筋群、外腹斜筋、頚部屈筋群、上背部筋群、中殿筋（後部）、大殿筋、大腿直筋が挙げられる。
【００３３】
さらには、姿勢ごとの将来のリスクもわかる。
Ｓ型の場合、腰椎前縦靭帯への負荷、頭部・頚部・下顎のアライメント不良により片頭痛・顔面筋の緊張による顎関節症、後部椎間板腔の狭窄、後部椎間孔の狭窄、脊椎関節窩の接近、滑膜を刺激し関節の炎症、などがある。
Ａ型の場合、肋鎖症候群、顎関節症、脊柱の衝撃吸収機能低下による頚部痛、などがある。
【００３４】
Ｉ型の場合、腰椎の衝撃吸収機能低下、後縦靭帯の負荷、顎関節症、腰椎の髄核が後方に突出(ヘルニア)、などがある。
Ｃ型の場合、胸椎後縦靭帯の負荷、上位頚椎椎間関節・椎間孔、過外転症候群、頚部神経叢圧迫(肩甲挙筋)、大後頭神経痛・緊張性頭痛(僧帽筋上部)、胸椎脊柱起立筋の疲労、下位腰椎の関節窩接近、などがある。
【００３５】
以上のように構成及び動作する診断支援システム１０によれば、経験の少ない施術者であっても、被診断者一人一人について、ほぐすべき短縮筋や筋力を増強させるべき弱化筋を判断することができる。
これにより、被診断者の骨格の歪みや重心のズレ、及び筋バランスを改善可能で、被診断者の体調の改善に繋がる。
【００３６】
また、被診断者の姿勢が正常姿勢か否かを仮診断しその診断結果と、詳細な姿勢分析における結果とを比較して、両者が一致することを確認するので、得られる結果の信頼性が高い。
【００３７】
なお、本実施形態において条件を加えることでさらにその精度を高めることができる。
例えば、図３に示すように、被診断者の耳垂、肩峰、大転子、膝蓋骨後面、及び外果の２〜３ｃｍ前方の部位をそれぞれ測定点として、被診断者を側方から測定したときに五つの測定点のうち被診断者の重心線を通った測定点を各一点として点数化し、分類された姿勢の種類に点数化された点数に基づいて軽重を付けることもできる。
これにより、さらに細かな診断を行うことができる。
すなわち、分類された姿勢の種類が同じであっても、症状の程度が重度の場合と軽度の場合では当然に対処の方法が異なるが、本発明では、症状の程度及び原因を細かく診断可能であるので、それに基づいて施術者が適切に施術することができる。
【００３８】
加えて、股関節屈曲テストや重心移動の確認といった動作中の体の動き、すなわちダイナミックアライメントや、その他の徒手検査、さらには電気治療器による反応を分析に加えることで、より詳細に症状の原因を突き止めることが可能である。
【００３９】
なお、図２のチャートにおいて、挙げた項目全てが当てはまらないと分類できないものではなく、いずれに当てはまるものが多いかで分類可能である。
【符号の説明】
【００４０】
１０      診断支援システム
１１      制御部（骨盤傾き判断手段、姿勢分類手段、仮診断手段、確認手段、重心線通過点数化手段）
１２      記憶部
１３      表示部
１４      入力部
【図１】
2019037598.tif 000003
【図２】
2019037598.tif 000004
【図３】
2019037598.tif 000005